(57)【要約】【課題】施工が簡単であり、軒先の雪や氷柱を融かす能力が大きく、必要に応じて軒樋や堅樋の凍結も防止できる軒先融雪装置を提供する。【解決手段】金属製の融雪パイプ１を軒樋２に沿って軒樋２の上方に配設すると共に、コネクターボックス３内で給電線４に接続したヒーター線５をカバーチューブ６に内蔵して融雪パイプ１に導入し、ヒーター線５を融雪パイプ１の内部に配線した構成の軒先融雪装置とする。コネクターボックス３内で給電線４に接続した樋凍結防止用のヒーター線５０をカバーチューブ６０に内蔵し、このカバーチューブを堅樋７内部及び／又は軒樋２底部に配設してもよい。【選択図】図１
2005155222.tif 000002
【特許請求の範囲】
【請求項１】
金属製の融雪パイプを軒樋に沿って軒樋の上方に配設すると共に、コネクターボックス内で給電線に接続したヒーター線をカバーチューブに内蔵して融雪パイプに導入し、ヒーター線を融雪パイプの内部に配線したことを特徴とする軒先融雪装置。
【請求項２】
コネクターボックス内で給電線に接続した樋凍結防止用のヒーター線をカバーチューブに内蔵し、このカバーチューブを堅樋内部及び／又は軒樋底部に配設したことを特徴とする請求項１に記載の軒先融雪装置。
【請求項３】
融雪パイプの位置調節が可能な融雪パイプ取付具で融雪パイプを軒先に取付けることにより、融雪パイプを軒樋の上方に配設したことを特徴とする請求項１に記載の軒先融雪装置。
【請求項４】
軒樋を取付ける軒樋取付具に融雪パイプ保持具を角度調整自在に設け、この融雪パイプ保持具に融雪パイプを保持させることにより、融雪パイプを軒樋の上方に配設したことを特徴とする請求項１に記載の軒先融雪装置。
【請求項５】
融雪パイプが二分割状のパイプであって、一方のパイプ半体の両側端に形成した係合部を他方のパイプ半体の両側端に形成した被係合部に係合させて双方のパイプ半体を分離可能に合体させたものであることを特徴とする請求項１に記載の軒先融雪装置。
【請求項６】
融雪パイプの内側の四隅に形成したヒーター線保持部にヒーター線を保持させて、ヒーター線を互いに接触しないように融雪パイプの内部に配線したことを特徴とする請求項５に記載の軒先融雪装置。
【請求項７】
カバーチューブが一側面で切開した開閉自在な可撓性の偏平状チューブであって、切開部分が開かないように、切開部分に対向して形成した突起と凹部を嵌合すると共に、内部両側にヒーター線収容部を分離して形成したものであることを特徴とする請求項１又は請求項２に記載の軒先融雪装置。
【請求項８】
堅樋内部に配設するカバーチューブの先端に固定用キャップを取付けたことを特徴とする請求項２に記載の軒先融雪装置。
【発明の詳細な説明】
【技術分野】
【０００１】
本発明は、軒先の雪や氷柱を融かし、軒樋や堅樋の凍結も防止できる軒先融雪装置に関する。
【背景技術】
【０００２】
この種の融雪装置として、軒先の軒樋を吊持する樋吊具の支持腕部に、温風放出パイプなどの放熱体を取付固定したものが知られている（特許文献１）。けれども、この融雪装置は、温風放出パイプの孔から温風を軒樋の内面に吹きつけるものであるため、軒樋の凍結を防止することはできても、軒先の氷柱などを融かすのには不十分なものであり、また、堅樋の凍結を防止することも不可能であった。
【特許文献１】特開昭６３−２０１２４９号公報
【発明の開示】
【発明が解決しようとする課題】
【０００３】
本発明は上記事情に対処すべくなされたもので、施工が簡単であり、軒先の雪や氷柱を融かす能力が大きく、必要に応じて軒樋や堅樋の凍結も防止できる軒先融雪装置を提供することを解決課題としている。
【課題を解決するための手段】
【０００４】
上記課題を解決するため、本発明の軒先融雪装置は、金属製の融雪パイプを軒樋に沿って軒樋の上方に配設すると共に、コネクターボックス内で給電線に接続したヒーター線をカバーチューブに内蔵して融雪パイプに導入し、ヒーター線を融雪パイプの内部に配線したことを特徴とするものである。
【０００５】
本発明の軒先融雪装置においては、コネクターボックス内で給電線に接続した樋凍結防止用のヒーター線をカバーチューブに内蔵し、このカバーチューブを堅樋内部及び／又は軒樋底部に配設することが好ましい。そして、融雪パイプの位置調節が可能な融雪パイプ取付具で融雪パイプを軒先に取付けるか、或いは、軒樋を取付ける軒樋取付具に融雪パイプ保持具を角度調整自在に設けて該保持具に融雪パイプを保持させることにより、融雪パイプを軒樋に沿って軒樋の上方に配設することが好ましい。また、融雪パイプは二分割状のパイプであって、一方のパイプ半体の両側端に形成した係合部を他方のパイプ半体の両側端に形成した被係合部に係合させて双方のパイプ半体を分離可能に合体させたものが好ましく、特に、この融雪パイプの内側の四隅に形成したヒーター線保持部にヒーター線を保持させて、ヒーター線を互いに接触しないように融雪パイプの内部に配線することが好ましい。また、カバーチューブは一側面で切開した開閉自在な可撓性の偏平状チューブであって、切開部分が開かないように、切開部分に対向して形成した突起と凹部を嵌合すると共に、内部両側にヒーター線収容部を分離して形成したものが好ましく、特に、堅樋内部に配設するカバーチューブの先端には固定用キャップを取付けることが好ましい。
【発明の効果】
【０００６】
本発明の軒先融雪装置にあっては、給電線を通じてヒーター線に通電すると、金属製の融雪パイプの内部に配線されたヒーター線が発熱して融雪パイプが冬期でも数十度（℃）に加熱されるため、軒先の雪や氷柱がすみやかに融けて軒樋に流れ落ち、堅樋を流下して排水される。特に、コネクターボックス内で給電線に接続した樋凍結防止用のヒーター線をカバーチューブに内蔵して、該カバーチューブを堅樋内部及び／又は軒樋底部に配設した軒先融雪装置は、ヒーター線を内蔵したカバーチューブによって軒樋や堅樋も温められるため、融雪水が軒樋や堅樋の内部で再び凍結するのを防止することができる。また、コネクターボックスから融雪パイプや堅樋に至るカバーチューブの途中の弛んだ部分で融雪水が再凍結して氷柱が発生するのを防止することもできる。さらに、一つのコネクターボックスを共用して、融雪パイプの内部に配線されるヒーター線と樋凍結防止用のヒーター線を給電線に接続でき、これらのヒーター線をカバーチューブに内蔵して軒樋上方の融雪パイプへ導入したり軒樋や堅樋に配設したりするだけで簡単に軒樋融雪装置を施工できるため、配線作業や施工性が良好である。
【０００７】
また、本発明の軒先融雪装置において、融雪パイプの位置調節が可能な融雪パイプ取付具で融雪パイプを軒先に取付けることにより、融雪パイプを軒樋に沿って軒樋の上方に配設したものは、融雪効率の高い箇所に融雪パイプを位置させて効率良く融雪できる利点がある。そして、軒樋取付具に角度調整自在に設けた融雪パイプ保持具に融雪パイプを保持させるようにしたものも、融雪パイプ保持具の角度を調整することによって融雪パイプを融雪効率の高い箇所に配設できるため、効率良く融雪できる利点がある。
【０００８】
更に、融雪パイプとして、二分割状のパイプであって、一方のパイプ半体の両側端に形成した係合部を他方のパイプ半体の両側端に形成した被係合部に係合させて双方のパイプ半体を分離可能に合体させたものを使用した軒先融雪装置は、双方のパイプ半体を分離してヒーター線を簡単に配線できる利点がある。特に、この融雪パイプの内側の四隅に形成したヒーター線保持部にヒーター線を保持させて、ヒーター線を互いに接触させないように融雪パイプの内部上側に２本、内部下側に２本配線したものは、ヒーター線の絡まりや接触による過熱を防止することができ、且つ、各ヒーター線と融雪パイプとの接触面積が大きいので効率良く融雪パイプを加熱できる利点がある。
【０００９】
また、カバーチューブとして、一側面で切開した開閉自在な可撓性の偏平状チューブであって、切開部分が開かないように、切開部分に対向して形成した突起と凹部を嵌合すると共に、内部両側にヒーター線収容部を分離して形成したものを使用した軒先融雪装置は、カバーチューブの切開部分を開いてヒーター線を互いに接触しないようにヒーター線収容部に収容した状態で簡単に内蔵できる利点がある。そして、固定用キャップを堅樋内部に配設されるカバーチューブの先端に取付けたものは、固定用キャップをワイヤー等で堅樋に固定することによってカバーチューブが堅樋から上方に抜け出したり、堅樋が満流の際にカバーチューブが浮き上がったりするのを防止できる利点がある。
【発明を実施するための最良の形態】
【００１０】
以下、図面に基づいて本発明の代表的な実施例を詳述するが、本発明はこれらの実施例に限定されないことは言うまでもない。
【実施例１】
【００１１】
図１は本発明の一実施例に係る軒先融雪装置を示す側面図、図２は同装置の斜視図、図３は同装置におけるヒーター線を配線した融雪パイプの断面図、図４は同融雪パイプの正面図、図５は同融雪パイプのキャップの断面図、図６は同装置における融雪パイプ取付具の斜視図、図７は同融雪パイプ取付具の側面図、図８は同融雪パイプ取付具の平面図、図９は同融雪パイプ取付具の背面図、図１０は同装置におけるカバーチューブ（開いた状態）の断面図である。
【００１２】
図１，図２に示す軒先融雪装置は、金属製の融雪パイプ１を軒樋２に沿って軒樋２の上方に配設すると共に、コネクターボックス３内で給電線４に接続したヒーター線５をカバーチューブ６に内蔵して融雪パイプ１に導入し、融雪パイプ１の内部にヒーター線５を配線している。そして、同じコネクターボックス３内で給電線４に接続した樋凍結防止用のヒーター線５０をカバーチューブ６０に内蔵し、このカバーチューブ６０を堅樋７に上方から挿入している。この実施例ではコネクターボックス３を軒天の下面に取付けているが、軒先に近い雨のかからない箇所であれば何処に取付けてもよい。
【００１３】
この融雪パイプ１はアルミニウム製の二分割状の角パイプであって、図３に示すように、上側のパイプ半体１ａの両側下端に形成された凸リブ状の係合部１ｃ，１ｃを、下側のパイプ半体１ｂの両側上端に形成された丸溝状の被係合部１ｄ，１ｄに弾性的に係合させることにより、上下のパイプ半体１ａ，１ｂを分離可能に合体させたものである。そして、この融雪パイプ１の内側の四隅には、後述するキャップ固定ビスのねじ込み部１ｅと、略半円弧状のヒーター線保持部１ｆがそれぞれ形成されており、また、下側のパイプ半体１ｂの中央には、後述する融雪パイプ取付具８のパイプ受け片の先端を係合させるための凹条１ｇが形成されている。
【００１４】
このような融雪パイプ１を使用すると、上下のパイプ半体１ａ，１ｂを分離してヒーター線５を四隅のヒーター線保持部１ｆにそれぞれ嵌着するだけで、各ヒーター線５を接触しないように融雪パイプ１の四隅に簡単に配線することができ、各ヒーター線５から出る熱はヒーター線保持部１ｆを伝導して融雪パイプ１を加熱するため、冬期でも融雪パイプ１の温度が数十度（℃）まで上昇して軒先の雪や氷柱をすみやかに融かすことができる。
【００１５】
融雪パイプ１は長尺のものを使用してもよいが、金属製の長尺の融雪パイプは熱伸縮が大きいので、図２に示すように、１〜２ｍ程度の比較的短かい融雪パイプ１を伸縮継手１０により複数本接続して軒樋２の上方に配設することが好ましい。このようにすると、融雪パイプ１の熱伸縮を伸縮継手１０によって吸収でき、また、軒先の長さに応じて必要本数の融雪パイプ１を接続することにより、軒先全体に融雪パイプ１を配設できる利点がある。伸縮継手１０は合成樹脂製でもよいが、融雪効率を低下させないようにアルミニウム等の金属製の伸縮継手１０を用いることが好ましい。
【００１６】
融雪パイプ１の両端は、図４に示すように、キャップ１１，１１で閉塞することが好ましく、このように閉塞するとパイプ内の熱い空気が放出されないのでエネルギーロスを最小限に押さえることができる。このキャップ１１は、図５に示すように、開口面に形成された融雪パイプ１の嵌受部１１ａと、反対側の閉鎖端面の四隅に形成されたキャップ固定ビスの挿通孔１１ｂと、下側面に形成されたヒーター線導入口１１ｃとを有するもので、図４に示すように、融雪パイプ１の端部を嵌受部１１ａに嵌合し、四隅の挿通孔１１ｂからキャップ固定ビス１１ｄを融雪パイプ１の前記ねじ込み部１ｅにねじ込むことによって、融雪パイプ１の両端に取付けられている。このキャップ１１は合成樹脂製のものでもよいが、融雪効率を低下させないように、熱伝導率の良いアルミダイカスト等の金属製のものを使用するのが好ましい。
【００１７】
図１、図２、図４に示すように、一方のキャップ１１のヒーター線導入口１１ｃからは、カバーチューブ６，６に内蔵されたヒーター線５，５が融雪パイプ１に導入されており、これらのヒーター線５は、前記図３に示すように、融雪パイプ１の四隅のヒーター線保持部１ｆに保持されてパイプ１内に配線されている。そして、ヒーター線導入口１１ｃにはシール部材１１が取付けられ、ヒーター導入口から水が融雪パイプ１に侵入しないように防水されている。また、他方のキャップ１１のヒーター線導入口１１ｃは、詰栓部材１１ｆで閉塞されている。
【００１８】
上記の融雪パイプ１は、図１に示すように、位置調節の可能な融雪パイプ取付具８によって軒先の鼻隠し９に取付けられている。この融雪パイプ取付具８は、図６〜図９に示すように、略溝形の断面形状を備え且つ鉤形に折曲された支持片８ａと、その上に重ねられたパイプ受け片８ｂと、その上に重ねられた段形のパイプ押さえ片８ｃと、支持片８ａの下方へ折れ曲がる後端部にリベットで固定された取付片８ｄと、蝶ボルト８ｅからなるものであって、この蝶ボルト８ｅは支持片８ａの凹底部に形成された長孔８ｆを通して下方からパイプ押さえ片８ｃのボルト孔８ｇにねじ込まれている。このボルト孔８ｇが形成されたパイプ押さえ片８ｃの下端水平部の両側には、ガイド用側板８ｈ，８ｈが折曲形成されており、このガイド用側板８ｈ，８ｈによってパイプ押さえ片８ｃがパイプ受け片８ｂと共に支持片８ａの上を前後方向にスムーズにスライドできるようになっている。
【００１９】
上記の融雪パイプ取付具８は、後端の取付片８ｄの四隅に穿孔された孔８ｉからビス８ｊを鼻隠し９にねじ込むことによって、図１に示すように鼻隠し９の前方へ突き出した状態で固定されている。そして、図７に示すように、パイプ受け片８ｂの屈曲先端部が下方から融雪パイプ１の下面の前記凹条１ｇに係合した状態で、融雪パイプ１の片側半分がパイプ受け片８ｂとパイプ押さえ片８ｃとで上下から挟持されて取付けられている。
【００２０】
このように融雪パイプ取付具８で融雪パイプ１を軒樋２の上方に取付けると、蝶ボルト８ｅを緩めて長孔８ｆの範囲内でパイプ受け片８ｂとパイプ押さえ片８ｃを前後方向にスライドさせることにより、融雪パイプ１の位置を簡単に変更、調節することができるため、融雪効率の高い箇所に融雪パイプ１を移動させて効率良く融雪できる利点がある。
【００２１】
前記のヒーター線５や樋凍結防止用のヒーター線５０は、ステンレス線などの抵抗発熱線を塩化ビニル樹脂等の合成樹脂とウレタンエラストマー等の樹脂エラストマーで二重被覆したものであって、これらのヒーター線５，５０は、図１に示すように、コネクターボックス３内のコネクター３ａを介して給電線４に接続されている。そして、ヒーター線５はカバーチューブ６，６に内蔵されて、前述した融雪パイプ１のキャップ１１のヒーター線導入口から融雪パイプ１内へ導入されており、樋凍結防止用のヒーター線５０もカバーチューブ６０に内蔵されて堅樋７に挿入されている。このように、ヒーター線をカバーチューブ６，６０に内蔵してコネクターボックス３から融雪パイプ１や堅樋７に導入すると、カバーチューブ６，６０の途中の弛んだ部分で融雪水が再凍結して氷柱が発生するのを防止することもできる。
【００２２】
カバーチューブ６は、図１０に示すように、一側面が切開された開閉自在な可撓性の偏平状の角形チューブであって、切開部分が開かないように、切開部分に対向して形成した突起６ａと凹部６ｂを嵌合すると共に、二つの隔離壁６ｃ，６ｃによってヒーター線収容部６ｄ，６ｄを両側に分離して形成したものである。このカバーチューブ６の大部分は、可撓性を有する軟質樹脂材料、例えば軟質のオレフィン系樹脂や、ウレタンエラストマー等の樹脂エラストマーで形成されているが、突起６ａや凹部６ｂを設けた切開部分は硬質樹脂材料、例えば硬質塩化ビニル樹脂などで形成されている。樋凍結防止用のヒーター線５０を内蔵するカバーチューブ６０も、上記のカバーチューブ６と同じものである。このようなカバーチューブ６，６０を用いると、その切開部分を開いてヒーター線５やヒーター線５０を互いに接触しないように両側のヒーター線収容部６ｄ，６ｄに収容した状態で簡単に内蔵できる利点がある。
【００２３】
図１、図２に示すように、堅樋７に挿入されるヒーター線内蔵のカバーチューブ６０の下端には、ワイヤ等を通す孔をあけた突片６１ａを有する固定用キャップ６１を取付けることが好ましい。このような固定用キャップ６１を取付けると、ワイヤ等を突片６１ａの孔に通して堅樋７の適所に固定することにより、カバーチューブ６０が堅樋７から上方に抜け出すのを防止することが可能になると共に、堅樋７が満流の際にカバーチューブ６０が浮き上がるのを防止することも可能になる。
【００２４】
この実施例１の装置は、樋凍結防止用のヒーター線５０を内蔵したカバーチューブ６０を堅樋７に挿入しているだけで、軒樋２の内面には配設していないが、堅樋７と軒樋２の双方に配設してもよく、また、軒樋２の内面のみに配設してもよい。
【実施例２】
【００２５】
図１１は本発明の他の実施例に係る軒先融雪装置の説明図であって、ヒーター線を内蔵したカバーチューブやコネクターボックスや給電線などを省略して示したものである。
【００２６】
この軒先融雪装置は、軒樋２を軒先の鼻隠し９に取付ける軒樋取付具１２の支持アーム１２ａから上向きの突片１２ｂを突設すると共に、この突片１２ｂに融雪パイプ保持具１２ｃを角度調整自在に設けて、該保持具１２ｃに融雪パイプ２０を保持させたものであり、図示はしていないが、前記実施例１の軒先融雪装置と同様に、軒天下面のコネクターボックス内で給電線に接続したヒーター線をカバーチューブに内蔵して融雪パイプ２０に導入し、ヒーター線５を融雪パイプ２０の内部に配線している。
【００２７】
この融雪パイプ２０は、前述した二分割状の融雪パイプ１の一側面に更に蟻溝２０ａを形成したもので、この蟻溝２０ａに融雪パイプ保持具１２ｃの先端の平板部１２ｄを挿入することによって保持固定されている。そして、突片１２ｂと融雪パイプ保持具１２ｃとの角度調整自在な枢着部の当接面には放射状の凹凸１２ｅが形成され、この凹凸１２ｅの噛合いによって、融雪パイプ保持具１２ｃが所望の角度で容易に回転しないように固定されている。
【００２８】
このような軒樋融雪装置は、ヒーター線５の発熱によって融雪パイプ２０が加熱されるため、軒先の雪や氷柱をすみやかに融かせることに加えて、融雪パイプ保持具１２ｃの角度を調整することにより融雪パイプ２０を融雪効率の高い箇所に配設できるため、一層効率良く融雪できる利点がある。
【００２９】
なお、この実施例２の軒先融雪装置においても、樋凍結防止用のヒーター線を内蔵したカバーチューブを堅樋や軒樋に配設し、これらの堅樋や軒樋の凍結防止を図ってもよいことは言うまでもない。
【図面の簡単な説明】
【００３０】
【図１】本発明の一実施例に係る軒先融雪装置を示す側面図である。
【図２】同装置の斜視図である。
【図３】同装置におけるヒーター線を配線した融雪パイプの断面図である。
【図４】同融雪パイプの正面図である。
【図５】同融雪パイプのキャップの断面図である。
【図６】同装置における融雪パイプ取付具の斜視図である。
【図７】同融雪パイプ取付具の側面図である。
【図８】同融雪パイプ取付具の平面図である。
【図９】同融雪パイプ取付具の背面図である。
【図１０】同装置におけるカバーチューブ（開いた状態）の断面図である。
【図１１】本発明の他の実施例に係る軒先融雪装置の説明図であって、ヒーター線を内蔵したカバーチューブやコネクターボックスや給電線などを省略して示したものである。
【符号の説明】
【００３１】
１，２０    融雪パイプ
１ａ，１ｂ  パイプ半体
１ｃ  係合部
１ｄ  被係合部
１ｆ  ヒーター線保持部
２    軒樋
３    コネクターボックス
４    給電線
５    ヒーター線
６，６０  カバーチューブ
６ａ  突起
６ｂ  凹部
６ｄ  ヒーター線収容部
７    堅樋
８    融雪パイプ取付具
１２  軒樋取付具
１２ｃ  融雪パイプ保持具
５０  樋凍結防止用のヒーター線
６１  固定用キャップ
【図１】
2005155222.tif 000003
【図２】
2005155222.tif 000004
【図３】
2005155222.tif 000005
【図４】
2005155222.tif 000006
【図５】
2005155222.tif 000007
【図６】
2005155222.tif 000008
【図７】
2005155222.tif 000009
【図８】
2005155222.tif 000010
【図９】
2005155222.tif 000011
【図１０】
2005155222.tif 000012
【図１１】
2005155222.tif 000013